(57)【特許請求の範囲】
【請求項１】
略洋杯状弁操作体の一端部嵌合口と管状弁切替体の一端部嵌合口とを連結環で結合し二つの洗浄水噴出装置吐水管路開口部を有する三方弁弁本体と、該三方弁弁本体内を摺動し回動杆と節付円筒杆とからなるスプール弁と、該回動杆を回動駆動し自動復帰機構を有する槓杆と、からなる自動復帰槓杆型手動回動式三方弁装置と、
流量調整弁流入口と長方形溝を有し弁切替体他端部との嵌合口とを有する筒状の流量調整弁弁本体と、該流量調整弁弁本体に挿入され楔状溝を有する流量調整軸と、該流量調整軸を軸支する流量調整軸押さえ蓋と、該流量調整軸に嵌合される流量調整ダイヤルと、からなる手動回動式流量調整弁装置と、
プランジャでダイヤフラム弁のパイロット・オリフィスを開閉することにより、ダイヤフラム弁を連動させて主弁座の開閉を行うパイロット弁方式の電磁式給水弁装置と、
からなり一体形成されていることを特徴とするノズル用給水装置。
【請求項２】
略洋杯状弁操作体の一端部嵌合口と管状弁切替体の一端部嵌合口とを連結環で結合し二つの洗浄水噴出装置吐水管路開口部を有する三方弁弁本体と、該三方弁弁本体内を摺動し回動杆と節付円筒杆とからなるスプール弁と、該回動杆を回動駆動し自動復帰機構を有する槓杆と、からなる自動復帰槓杆型手動回動式三方弁装置と、
流量調整弁流入口と長方形溝を有し弁切替体他端部との嵌合口とを有する筒状の流量調整弁弁本体と、該流量調整弁弁本体に挿入され楔状溝を有する流量調整軸と、該流量調整軸を軸支する流量調整軸押さえ蓋と、該流量調整軸に嵌合される流量調整ダイヤルと、からなる手動回動式流量調整弁装置と、
からなり一体形成されていることを特徴とするノズル用給水装置。
【請求項３】
略洋杯状弁操作体の一端部嵌合口と管状弁切替体の一端部嵌合口とを連結環で結合し二つの洗浄水噴出装置吐水管路開口部を有する三方弁弁本体と、該三方弁弁本体内を摺動し回動杆と節付円筒杆とからなるスプール弁と、該回動杆を回動駆動し自動復帰機構を有する槓杆と、からなる自動復帰槓杆型手動回動式三方弁装置と、
プランジャでダイヤフラム弁のパイロット・オリフィスを開閉することにより、ダイヤフラム弁を連動させて主弁座の開閉を行うパイロット弁方式の電磁式給水弁装置と、
からなり一体形成されていることを特徴とするノズル用給水装置。
【請求項４】
略洋杯状弁操作体の一端部嵌合口と管状弁切替体の一端部嵌合口とを連結環で結合し二つの洗浄水噴出装置吐水管路開口部を有する三方弁弁本体と、該三方弁弁本体内を摺動し回動杆と節付円筒杆とからなるスプール弁と、該回動杆を回動駆動し自動復帰機構を有する槓杆と、からなる自動復帰槓杆型手動回動式三方弁装置のみからなることを特徴とするノズル用給水装置。
【請求項５】
槓杆に転換器押圧部を設け、該槓杆に対向する隔離位置に転換器を配設し、該槓杆の規定角度範囲内の回動においては該転換器押圧部が該転換器を押圧せず自動復帰槓杆型手動回動式三方弁装置の切替操作を行うのみで、該槓杆の規定角度範囲外の押圧回動においては該転換器押圧部が該転換器を押圧し該押圧で得られる該転換器の転換信号によりパイロット弁方式の電磁式給水弁装置を開弁しノズルに洗浄水を送水し、該押圧の解除においては該槓杆が自動復帰することで得られる該転換器の復帰信号によりパイロット弁方式の電磁式給水弁装置を閉弁しノズルの洗浄水を止水することを特徴とする請求項１又は３記載の一体形成されているノズル用給水装置。
【請求項６】
槓杆に磁石を設け、該槓杆に対向する隔離位置に磁気検出装置を配設し、該槓杆の規定角度範囲内の回動においては該磁石が該磁気検出装置に近接せず自動復帰槓杆型手動回動式三方弁装置の切替操作を行うのみで、該槓杆の規定角度範囲外の押圧回動においては該磁石の近接で得られる該磁気検出装置の磁気検出信号によりパイロット弁方式の電磁式給水弁装置を開弁しノズルに洗浄水を送水し、該押圧の解除においては該槓杆が自動復帰することで得られる該磁気検出装置の磁気未検出信号によりパイロット弁方式の電磁式給水弁装置を閉弁しノズルの洗浄水を止水することを特徴とする請求項１又は３記載の一体形成されているノズル用給水装置。
【請求項７】
槓杆の規定角度範囲内の回動における２段階切替操作に対するスムーズなクリック感と、槓杆の規定角度範囲外の押圧回動に対する自動復帰と、を得るために、弁操作体他端部端面に複数の凹部を設け、槓杆にローラと円板状板バネとを取付け、弁操作体他端部から突出している回動杆の一端部に該槓杆を嵌合し、該凹部と該ローラとを摺動させることを特徴とする請求項１、２、３、４、５又は６記載の一体形成されているノズル用給水装置。
【発明の詳細な説明】
【０００１】
【発明の属する技術分野】
本発明は、局部洗浄装置の複数のノズル（洗浄水噴出装置）に洗浄水（原水〔水道水又は井戸水等〕を直接〔電磁式給水弁装置等を経由する場合が多い。〕又はタンク等の貯水槽から給水し、常温水又は温水を人体の一部に放水するための水〔浄水、軟水、薬剤含有水、弱酸性電解水等を含む。〕をいう。）を切替えて送水するノズル用給水装置に係るものであり、詳しくは肛門用ノズル、局部（ビデ）用ノズルに洗浄水を切替えて送水できる、スプール弁方式の自動復帰槓杆型手動回動式三方弁装置と、手動回動式流量調整弁装置と、電磁式給水弁装置と、からなり一体形成されているノズル用給水装置に関する。
【０００２】
【従来の技術】
従来は、例えば、局部洗浄装置の操作パネル等に、肛門噴出切替スイッチ類、局部噴出切替スイッチ類、止水切替スイッチ類、の３つの操作スイッチ類（例えば、押しボタンスイッチ、ランプ表示付きメンブレンスイッチ、磁石と磁気検出装置の組合せによる近接スイッチ類）が配設され、前記操作スイッチ類の切替操作により、パイロット弁方式の電磁式給水弁装置等を開閉し、直動弁方式の電磁式三方弁装置等を駆動させ、肛門用ノズル［肛門用洗浄水噴出装置］、局部（ビデ）用ノズル［局部用洗浄水噴出装置］に手動回動式流量調整弁装置で流量調整された洗浄水を切替えて送水する方式のノズル用給水装置が主流である。
【０００３】
【発明が解決しようとする課題】
しかしながら、操作パネル等に複数の操作スイッチ類や、直動弁方式の電磁式三方弁装置、等を局部洗浄装置に搭載していては、小形化やコスト削減に限界がある。
又、手動回動式流量調整弁装置と、自動復帰ダイヤル型手動回動式三方弁装置と、電磁式給水弁装置と、を個別に搭載した局部洗浄装置には、例えば、特開平２−２０４５４２号公報等で開示されているもの知られているが、ホース等の外部配管部材による各装置間配管等が複雑であり、又配管接続部等からの漏水等の信頼性向上が要求されている。
【０００４】
本発明は、従来の技術の有するこのような問題点を鑑みてなされたものであり、その目的とするところは、漏水等の信頼性を向上させながら、小形化やコスト的に有利な、少なくても一つの操作スイッチ類と、スプール弁方式の自動復帰槓杆型手動回動式三方弁装置と、手動回動式流量調整弁装置と、電磁式給水弁装置と、等の組合せからなり一体形成されたノズル用給水装置を提供しようとするものである。
【０００５】
【課題を解決するための手段】
上記目的を達成するために、本発明のノズル用給水装置は以下の特徴を有する。
構成（ハード）的には、略洋杯（コップ）状弁操作体の一端部嵌合口と管状弁切替体の一端部嵌合口とを連結環で結合（連結環に圧縮型環状封密弾性体〔例えば、Ｏリング、Ｘリング、Ｖパッキン等、水密性が確保できる部材〕を環装して水密性を確保する。）し二つの洗浄水噴出装置吐水管路開口部（開口方向等は局部洗浄装置等の仕様により合わせると良い。）を有する三方弁弁本体と、該三方弁弁本体内を摺動（往復移動）し回動杆と節付円筒杆とからなるスプール弁と、該回動杆を回動駆動し自動復帰機構（例えば、スナップ動作をする板バネ方式）を有する槓杆（手動レバー）と、からなる自動復帰槓杆型手動回動式三方弁装置（２段階切替操作）と、
流量調整弁流入口と長方形溝を有し弁切替体他端部との嵌合口とを有する筒状の流量調整弁弁本体と、該流量調整弁弁本体に挿入され楔状溝を有する流量調整軸と、該流量調整軸を軸支する流量調整軸押さえ蓋と、該流量調整軸に嵌合される流量調整ダイヤルと、からなる手動回動式流量調整弁装置と、
プランジャでダイヤフラム弁のパイロット・オリフィスを開閉することにより、ダイヤフラム弁を連動させて主弁座の開閉を行うパイロット弁方式の電磁式給水弁装置と、
からなり一体形成（連結）されていることを特徴とする。
【０００６】
又は、略洋杯状弁操作体の一端部嵌合口と管状弁切替体の一端部嵌合口とを連結環で結合し二つの洗浄水噴出装置吐水管路開口部を有する三方弁弁本体と、該三方弁弁本体内を摺動し回動杆と節付円筒杆とからなるスプール弁と、該回動杆を回動駆動し自動復帰機構を有する槓杆と、からなる自動復帰槓杆型手動回動式三方弁装置と、
流量調整弁流入口と長方形溝を有し弁切替体他端部との嵌合口とを有する筒状の流量調整弁弁本体と、該流量調整弁弁本体に挿入され楔状溝を有する流量調整軸と、該流量調整軸を軸支する流量調整軸押さえ蓋と、該流量調整軸に嵌合される流量調整ダイヤルと、からなる手動回動式流量調整弁装置と、
からなり一体形成（連結）されていることを特徴とする。
【０００７】
或いは、略洋杯状弁操作体の一端部嵌合口と管状弁切替体の一端部嵌合口とを連結環で結合し二つの洗浄水噴出装置吐水管路開口部を有する三方弁弁本体と、該三方弁弁本体内を摺動し回動杆と節付円筒杆とからなるスプール弁と、該回動杆を回動駆動し自動復帰機構を有する槓杆と、からなる自動復帰槓杆型手動回動式三方弁装置と、
プランジャでダイヤフラム弁のパイロット・オリフィスを開閉することにより、ダイヤフラム弁を連動させて主弁座の開閉を行うパイロット弁方式の電磁式給水弁装置と、
からなり一体形成（連結）されていることを特徴とする。
【０００８】
或いは、略洋杯状弁操作体の一端部嵌合口と管状弁切替体の一端部嵌合口とを連結環で結合し二つの洗浄水噴出装置吐水管路開口部を有する三方弁弁本体と、該三方弁弁本体内を摺動し回動杆と節付円筒杆とからなるスプール弁と、該回動杆を回動駆動し自動復帰機構を有する槓杆と、からなる自動復帰槓杆型手動回動式三方弁装置のみからなることを特徴とする。
【０００９】
作用（ソフト）的には、槓杆に転換器押圧部（例えば、ステンレス鋼板等の板バネ、湾曲した皿バネ等を付設しても良い。）を設け（例えば、突設）、該槓杆に対向する隔離位置に転換器（例えば、印刷配線基板用タクトスイッチ、マイクロスイッチ、片切スイッチ、両切スイッチ、点滅器）を配設し、該槓杆の規定角度範囲内の回動においては該転換器押圧部が該転換器を押圧せず自動復帰槓杆型手動回動式三方弁装置の切替操作を行うのみで、該槓杆の規定角度範囲外の押圧回動においては該転換器押圧部が該転換器を押圧し該押圧で得られる該転換器の転換信号によりパイロット弁方式の電磁式給水弁装置を開弁しノズルに洗浄水を送水し、該押圧の解除においては該槓杆が自動復帰することで得られる該転換器の復帰信号によりパイロット弁方式の電磁式給水弁装置を閉弁しノズルの洗浄水を止水することを特徴とする。
【００１０】
又は、槓杆に磁石（例えば、希土類系磁石）を設け（例えば、埋設）、該槓杆に対向する隔離位置に磁気検出装置（磁性感動素子）を配設し、該槓杆の規定角度範囲内の回動においては該磁石が該磁気検出装置に近接せず自動復帰槓杆型手動回動式三方弁装置の切替操作を行うのみで、該槓杆の規定角度範囲外の押圧回動においては該磁石の近接で得られる該磁気検出装置の磁気検出信号によりパイロット弁方式の電磁式給水弁装置を開弁しノズルに洗浄水を送水し、該押圧の解除においては該槓杆が自動復帰することで得られる該磁気検出装置の磁気未検出信号によりパイロット弁方式の電磁式給水弁装置を閉弁しノズルの洗浄水を止水することを特徴とする。
【００１１】
そして、槓杆の規定角度範囲内の回動における２段階切替操作に対するスムーズなクリック感と、槓杆の規定角度範囲外の押圧回動に対する自動復帰と、を得るために、弁操作体他端部端面に複数の凹部を設け、槓杆にローラと円板状板バネとを取付け、弁操作体他端部から突出している回動杆の一端部に該槓杆を嵌合し、該凹部と該ローラとを摺動させることを特徴とする。
【００１２】
【発明の実施の形態】
発明の実施の形態について図面を参照して説明する。
図１は本発明の一実施例のノズル用給水装置１０の定位置２（手動回動式流量調整弁装置６０から送られる洗浄水１１が局部用洗浄水噴出装置５５に送水される時の槓杆４０の移動停止位置）の時の要部背面断面図である。
図２は本発明の他実施例のノズル用給水装置２０の定位置２（手動回動式流量調整弁装置６０から送られる洗浄水２１が局部用洗浄水噴出装置５５に送水される時の槓杆４０の移動停止位置）の時の要部背面断面図である。
図３は本発明の他実施例のノズル用給水装置２０の定位置１（手動回動式流量調整弁装置６０から送られる洗浄水２１が肛門用洗浄水噴出装置５１に送水される時の槓杆４０の移動停止位置）の時の要部背面断面図である。
図４は本発明の他実施例のノズル用給水装置２０の定位置１の時の要部左側面図であり、槓杆４０の回動の規定角度範囲７５及び槓杆４０の押圧回動により増加する角度７６を示した参考図である。
図５は本発明の他実施例のノズル用給水装置２０の変位位置１（槓杆４０の押圧回動により定位置１から移動増加した槓杆４０停止位置）の時の要部左側面図である。
図６は本発明の他実施例のノズル用給水装置２０の定位置２の時の要部左側面図である。
図７は本発明の他実施例のノズル用給水装置２０の変位位置２（槓杆４０の押圧回動により定位置２から移動増加した槓杆４０停止位置）の時の要部左側面図である。
図８は一例の既存のノズルユニット５０の縮小平面図である。
図９は一例の既存のノズルユニット５０に本発明の他実施例のノズル用給水装置２０（定位置１の時）を嵌合した時の要部平面図である。
図１０は一例の既存のノズルユニット５０に本発明の他実施例のノズル用給水装置２０（変位位置１の時）を嵌合した時の縮小平面図であり、肛門用洗浄水噴出装置５１から洗浄水が噴出している状態を示した図である。
図１１は一例の既存のノズルユニット５０に本発明の他実施例のノズル用給水装置２０（定位置２の時）を嵌合した時の要部平面図である。
図１２は一例の既存のノズルユニット５０に本発明の他実施例のノズル用給水装置２０（変位位置２の時）を嵌合した時の縮小平面図であり、局部用洗浄水噴出装置５５から洗浄水が噴出している状態を示した図である。
【００１３】
自動復帰槓杆型手動回動式三方弁装置（２段階切替操作はできるが止水機能は無い。）４６は、略洋杯（コップ）状弁操作体２３（例えば、ポリアセタール樹脂）の一端部嵌合口２４と管状弁切替体２６（例えば、ポリアセタール樹脂）の一端部嵌合口２７とを連結環３０（例えば、ポリアセタール樹脂）で結合（連結環３０に圧縮型環状封密弾性体〔例えば、Ｏリング、Ｘリング、Ｖパッキン等、水密性が確保できる部材〕を環装して水密性を確保する。）し、肛門用洗浄水噴出装置吐水管路開口部２５（開口方向等は局部洗浄装置等の仕様により合わせると良い。該開口部２５は肛門用洗浄水噴出装置５１の肛門用流入口５２と結合できる形状にすると良い。又、ホース等の外部配管部材が結合できる形状にしても良い。）と局部用洗浄水噴出装置吐水管路開口部２８（開口方向等は局部洗浄装置等の仕様により合わせると良い。該開口部２８は局部用洗浄水噴出装置５５の局部用流入口５６と結合できる形状にすると良い。又、ホース等の外部配管部材が結合できる形状にしても良い。）とを有する三方弁弁本体２２と、該三方弁弁本体２２内を摺動（往復移動）し、回動杆３２（例えば、ポリアセタール樹脂）と節付円筒杆３４と（例えば、ポリアセタール樹脂）からなるスプール弁３１（回動杆３２の他端部周壁にある回動杆突起３３と節付円筒杆３４の一端部内壁にある螺旋形凹溝３５とが螺旋摺動して、スプール弁３１が三方弁弁本体２２内を往復移動する。）と、該回動杆３２の一端部を回動駆動し自動復帰機構（不図示ではあるが、例えば、スナップ動作をするステンレス鋼板等の板バネ４３方式）を有する槓杆（手動レバー）４０（例えば、ポリプロピレン樹脂）と、からなる。
【００１４】
本実施例においては、槓杆４０（例えば、ＡＢＳ樹脂）で回動杆３２の一端部が回動駆動できるように、回動杆３２の一端部（弁操作体他端部３８から突出している部分）には槓杆４０を設け、固定螺子３６（例えば、ステンレス製タッピングネジ）で固着し、螺子蓋４２（例えば、ＡＢＳ樹脂）で蓋をした。
そして、不図示ではあるが、槓杆４０の規定角度範囲７５内の回動における２段階切替操作に対するスムーズなクリック感（槓杆４０の回動と共に、カチッ、カチッと規定の位置でロックするような感触。）と、槓杆４０の規定角度範囲７５外の押圧回動（槓杆４０の押圧回動により増加する角度７６に移動する。）に対する自動復帰と、を得るために、弁操作体２３他端部３８端面に複数の凹部３９を設け、槓杆４０にローラ４５（例えば、真鍮）と皿バネ（円板状板バネ）４４（例えば、ステンレス鋼板）とを取付け、弁操作体他端部３８から突出している回動杆の一端部に該槓杆４０を嵌合し、該凹部３９と該ローラ４５を摺動させるようにした。
洗浄水１１（２１）にゴミや異物等が含有されていると、圧縮型環状封密弾性体等に傷を付けやすいので、手動回動式流量調整弁装置６０の前段で、洗浄水１１（２１）のゴミや異物等をフィルタ、ストレーナ等で除去しておくことが必要である。
【００１５】
手動回動式流量調整弁装置６０は、流量調整弁流入口６８（開口方向等は任意で良い。該流入口６８は電磁式給水弁装置１２の流出口１６と結合できる形状にすると良い。又、ホース等の外部配管部材が結合できる形状にしても良い。）と長方形溝６２と弁切替体２６他端部２９との嵌合口６５（節付円筒杆３４の他端部の開口部３７に嵌合する嵌合口６９も含む。）とを有する筒状の流量調整弁弁本体６１と、該流量調整弁弁本体６１に挿入され楔状溝６４を有する流量調整軸６３と、該流量調整軸６３を軸支する流量調整軸押さえ蓋６７と、該流量調整軸６３に嵌合される流量調整ダイヤル６６と、からなる。
【００１６】
流量調整ダイヤル６６を回動すると、該流量調整軸６３の楔状溝６４と、該嵌合口６５の長方形溝６２と、の交差角度により決定される有効オリフィスで吐水量を調節できるものである。
洗浄水１１（２１）にゴミや異物等が含有されていると、圧縮型環状封密弾性体等に傷を付けやすいので、手動回動式流量調整弁装置６０の前段で、洗浄水１１（２１）のゴミや異物等をフィルタ、ストレーナ等で除去しておくことが必要である。
【００１７】
常閉型のパイロット弁方式の電磁式給水弁装置１２は、給水弁流入口１３（開口方向等は任意で良い。）、流入管路、流入室、主弁座、流出管路、流出口１６（開口方向等は任意で良い。該流出口１６は手動回動式流量調整弁装置６０の流量調整弁流入口６８と結合できる形状にすると良い。又、ホース等の外部配管部材が結合できる形状にしても良い。）を合成樹脂成形部材（例えば、ポリプロピレン樹脂）で一体成形した弁本体１４に、主弁座を閉鎖するように軟質ダイヤフラム弁（弁体）を設置し、該弁本体１４に該ダイヤフラム弁の液密パッキン部を押圧するように合成樹脂成形部材（例えば、ナイロン樹脂）のガイドケース（内部を背圧室という。）を押止め、該ガイドケースの内周には該ダイヤフラム弁のパイロット・オリフィスが閉鎖されるように、弾性部材（例えば、シリコンゴム）の軟質パイロット弁（弁体）が固定された硬質磁性部材（例えば、ステンレス鋼棒）のプランジャと、該プランジャを常時弾発付勢しているコイルスプリング（例えば、ステンレス鋼線）を収納し、該ガイドケースの外周にはマグネット・ワイヤと呼ばれる銅線（例えば、エナメル線）を円筒状のボビン（例えば、ナイロン樹脂）に巻いて端子片（例えば、ファストン端子＃２５０）やリード線（電線）に接続（例えば、半田付け、ヒュージング、スポット溶接、レーザ溶接）した給水弁ソレノイド（コイル）部１５を設置して構成されたものである。
【００１８】
給水される水（洗浄水１１）にゴミや異物等が含有されていると、圧縮型環状封密弾性体等に傷を付けやすいので、給水される水（洗浄水１１）のゴミや異物等をフィルタ、ストレーナ等で除去しておくことが必要である。
【００１９】
細部においては、槓杆４０に転換器押圧部４１（不図示ではあるが、自動復帰のために、例えば、ステンレス鋼板等の板バネ４３、皿バネ４４等を付設しても良い。）を設け（例えば、突設）、該槓杆４０に対向する隔離位置に転換器７０（例えば、押釦スイッチ、印刷配線基板用タクトスイッチ、メンブレンスイッチ、マイクロスイッチ、片切スイッチ、両切スイッチ、点滅器、開閉器）を配設し、該槓杆４０の規定角度範囲７５内の回動においては該転換器押圧部４１が該転換器７０を押圧せず自動復帰槓杆型手動回動式三方弁装置４６の切替操作を行うのみで、該槓杆４０の規定角度範囲７５外の押圧回動（槓杆４０の押圧回動により増加する角度７６に移動する。）においては該転換器押圧部４１が該転換器７０を押圧し、該押圧で得られる該転換器７０の転換信号（例えば、閉切換から開切換になる）により、（例えば、該開切換が転換器７０等搭載用印刷配線基板類７１に送信されることにより該基板類７１から給水弁ソレノイド部１５が励磁制御されて）パイロット弁方式の電磁式給水弁装置１２を開弁し、ノズル（肛門用ノズル５３又は局部用ノズル５７）に洗浄水を送水し、該押圧の解除（手を離す）においては該槓杆４０が自動復帰することで得られる該転換器７０の復帰信号（例えば、該開切換から閉切換になる）により、（例えば、該閉切換が転換器７０等搭載用印刷配線基板類７１に送信されることにより該基板類７１から給水弁ソレノイド部１５が消磁制御されて）パイロット弁方式の電磁式給水弁装置１２を閉弁し、ノズル（肛門用ノズル５３又は局部用ノズル５７）の洗浄水を止水するようにした。
【００２０】
転換器７０の代替として、例えば、該槓杆４０等に磁石４７（例えば、希土類系磁石）を内蔵し、磁気検出装置４８（磁性感動素子）の組合せ等による近接スイッチ類としても良い。又、大電流を流したい場合は半導体素子（例えば、トランジスタ、サイリスタ、トライアック、ＦＥＴ、ＭＯＳＦＥＴ、フォトカプラ、専用ＩＣ等）、電磁接触器（リレー）等で電気回路等を構成すると良い。
【００２１】
その実施例としては、槓杆４０（不図示ではあるが、自動復帰のために、例えば、スナップ動作等をするステンレス鋼板等の板バネ４３、皿バネ４４等を付設しても良い。）に磁石４７を設け（例えば、埋設）、該槓杆４０に対向する隔離位置に磁気検出装置４８を配設し、該槓杆４０の規定角度範囲７５内の回動においては該磁石４７が該磁気検出装置４８に近接せず、自動復帰槓杆型手動回動式三方弁装置４６の切替操作を行うのみで、該槓杆４０の規定角度範囲７５外の押圧回動（槓杆４０の押圧回動により増加する角度７６に移動する。）においては該磁石４７の近接で得られる該磁気検出装置４８の磁気検出信号（例えば、Ｈｉ信号からＬｏｗ信号になる）により、（例えば、該Ｌｏｗ信号が磁気検出装置４８等搭載用印刷配線基板類７１に送信されることにより該基板類７１から給水弁ソレノイド部１５が励磁制御されて）パイロット弁方式の電磁式給水弁装置１２を開弁し、ノズル（肛門用ノズル５３又は局部用ノズル５７）に洗浄水を送水し、該押圧の解除（手を離す）においては該槓杆が自動復帰することで得られる該磁気検出装置の磁気未検出信号（例えば、該Ｌｏｗ信号からＨｉ信号になる）により、（例えば、該Ｈｉ信号が磁気検出装置４８等搭載用印刷配線基板類７１に送信されることにより該基板類７１から給水弁ソレノイド部１５が消磁制御されて）パイロット弁方式の電磁式給水弁装置１２を閉弁し、ノズル（肛門用ノズル５３又は局部用ノズル５７）の洗浄水を止水するようにした。
【００２２】
該磁気検出装置４８には、例えば、リードスイッチ、ホールＩＣ、磁気抵抗、コイル等があり、通常はガラス管封入形リードコンタクト式の常時開路接点（ａ接点又はメーク接点ともいう。）のリードスイッチが多用されている。コスト的にはホールＩＣ（Ｓ極又はＮ極の片極検出型、Ｓ極及びＮ極の両極検出型、無検出時省エネ待機型等）が有利な場合もある。
該磁気検出装置４８は印刷配線基板類７１等に半田付け（電気的接続及び／又は機械的固定）してケーシング７２（７３）内に配設（取付け）しやすいように工夫すると良い。
本実施例では、ホールＩＣを印刷配線基板類７１上に配線材と共に半田付けで固着して印刷配線基板ケース内に入れて、ポッティング材（例えば、ウレタン樹脂、ポリエステル樹脂、エポキシ樹脂、シリコーン樹脂等の電気絶縁材、接着シール材等で、他の材質の防水対策材、防湿対策材、結露対策材用等のものも含む。）で封止したものである。
【００２３】
本発明のノズル用給水装置においては、外部配管部材（例えば、塩化ビニールホース）を無くして漏水等の信頼性を向上させながらも、自動復帰槓杆型手動回動式三方弁装置４６と、手動回動式流量調整弁装置６０と、常閉型パイロット弁方式の電磁式給水弁装置１２と、を任意に組合せて一体形成でき、ノズル用給水装置が搭載される局部洗浄装置の仕様に合わせて提供できるものである。
一実施例として、自動復帰槓杆型手動回動式三方弁装置４６と、手動回動式流量調整弁装置６０と、常閉型パイロット弁方式の電磁式給水弁装置１２と、を組合せて一体形成（連結）したものが、ノズル用給水装置１０である。
各装置（４６、６０、１２、５１、５５）の結合は、嵌合口等同士を直接嵌合させても良く、ノズル用給水装置が搭載される局部洗浄装置の仕様により、ホース等の外部配管部材で間接的に結合させても良い。
又、洗浄水１１は常閉型パイロット弁方式の電磁式給水弁装置１２から直接手動回動式流量調整弁装置６０等に送水しても良く、又タンク等の貯水槽に一度送水してから、常温水又は温水或いは改水〔浄水、軟水、薬剤含有水、弱酸性電解水等を含む。〕として手動回動式流量調整弁装置６０等に送水しても良い。
洗浄水１１にゴミや異物等が含有されていると、圧縮型環状封密弾性体等に傷を付けやすいので、洗浄水１１のゴミや異物等をフィルタ、ストレーナ等で除去しておくことが必要である。
【００２４】
他実施例として、自動復帰槓杆型手動回動式三方弁装置４６と、手動回動式流量調整弁装置６０と、を組合せて一体形成（連結）したものが、ノズル用給水装置２０である。
各装置（４６、６０、５１、５５）の結合は、嵌合口等同士を直接嵌合させても良く、ノズル用給水装置が搭載される局部洗浄装置の仕様により、ホース等の外部配管部材で間接的に結合させても良い。
止水停止位置が要求される場合は、自動復帰槓杆型手動回動式三方弁装置４６においては、例えば、槓杆４０を垂直状態で停止できる工夫をすると良い。又、手動回動式流量調整弁装置６０においては、例えば、特開平９−４０２１号公報等で開示されているように、流量調整軸６３部に時計回り方向に付勢力を作用させるゼンマイバネ状の復帰手段を設けて、流量調整ダイヤル６６を反時計回り方向に手動で正回転させると送水が開始され、流量調整ダイヤル６６から手を離すと、流路の閉止位置に強制的に該復帰手段で逆回転して送水阻止をする技術等を採用しても良い。
又、洗浄水２１は外部止水弁等から直接送水しても良く、又タンク等の貯水槽に一度送水してから、常温水又は温水或いは改水〔浄水、軟水、薬剤含有水、弱酸性電解水等を含む。〕として送水しても良い。
洗浄水２１にゴミや異物等が含有されていると、圧縮型環状封密弾性体等に傷を付けやすいので、手動回動式流量調整弁装置６０の前段で、洗浄水２１のゴミや異物等をフィルタ、ストレーナ等で除去しておくことが必要である。
【００２５】
不図示ではあるが、第三実施例として、自動復帰槓杆型手動回動式三方弁装置４６と、常閉型パイロット弁方式の電磁式給水弁装置１２と、を組合せて一体形成（連結）したものが、ノズル用給水装置１７である。
各装置（４６、１２、５１、５５）の結合は、嵌合口等同士を直接嵌合させても良く、ノズル用給水装置が搭載される局部洗浄装置の仕様により、ホース等の外部配管部材で間接的に結合させても良い。
又、洗浄水１１は常閉型パイロット弁方式の電磁式給水弁装置１２から直接送水しても良く、又タンク等の貯水槽に一度送水してから、常温水又は温水或いは改水〔浄水、軟水、薬剤含有水、弱酸性電解水等を含む。〕として送水しても良い。
洗浄水１１にゴミや異物等が含有されていると、圧縮型環状封密弾性体等に傷を付けやすいので、洗浄水１１のゴミや異物等をフィルタ、ストレーナ等で除去しておくことが必要である。
【００２６】
不図示ではあるが、第四実施例として、自動復帰槓杆型手動回動式三方弁装置４６のみからなるものが、ノズル用給水装置１８である。
各装置（４６、５１、５５）の結合は、嵌合口等同士を直接嵌合させても良く、ノズル用給水装置が搭載される局部洗浄装置の仕様により、ホース等の外部配管部材で間接的に結合させても良い。
止水停止位置が要求される場合は、例えば、槓杆４０を垂直状態で停止できる工夫をすると良い。
又、洗浄水２１は外部止水弁等から直接送水しても良く、又タンク等の貯水槽に一度送水してから、常温水又は温水或いは改水〔浄水、軟水、薬剤含有水、弱酸性電解水等を含む。〕として送水しても良い。
洗浄水２１にゴミや異物等が含有されていると、圧縮型環状封密弾性体等に傷を付けやすいので、自動復帰槓杆型手動回動式三方弁装置４６の前段で、洗浄水２１のゴミや異物等をフィルタ、ストレーナ等で除去しておくことが必要である。
【００２７】
本発明のノズル用給水装置においては、自動復帰槓杆型手動回動式三方弁装置４６の採用により、直動弁方式の電磁式三方弁を使用していた場合に比べ３分の２〜２分の１以下のコストになり、操作スイッチ類が３つから１つになったので、小形化やコスト削減に寄与できるものである。
又、本発明のノズル用給水装置においては、各装置の一体形成（連結）で余分な外部配管部材等が無いので、漏水等の信頼性を向上させることができる。
【００２８】
以上、本発明の好適な実施の形態について種々の組合せ等を述べてきたが、本発明は上述する実施の形態に限定されるものでなく、発明の精神を逸脱しない範囲で多くの組合せ、改変等を施し得るのはもちろんである。
【００２９】
本発明のノズル用給水装置においては、常閉型のパイロット弁方式の電磁式給水弁装置としたが常開型としても良い。又、磁石（希土類系磁石が良い。）とソレノイド（コイル）とを組合せた自己保持（ラッチ）型給水弁装置でも、直動弁方式の電磁式給水弁装置等でも良い。
【００３０】
【発明の効果】
本発明のノズル用給水装置においては、自動復帰槓杆型手動回動式三方弁装置の採用により、直動弁方式の電磁式三方弁を使用していた場合よりコスト削減ができ、操作スイッチ類が３つから１つになったので、小形化に寄与できるという効果を奏する。
又、本発明のノズル用給水装置においては、各装置の一体形成（連結）で余分な外部配管部材等が無いので、漏水等の信頼性を向上させることができるという効果を奏する。
【図面の簡単な説明】
【図１】本発明の一実施例のノズル用給水装置の定位置２の時の要部背面断面図である。
【図２】本発明の他実施例のノズル用給水装置の定位置２の時の要部背面断面図である。
【図３】本発明の他実施例のノズル用給水装置の定位置１の時の要部背面断面図である。
【図４】本発明の他実施例のノズル用給水装置の定位置１の時の要部左側面図である。
【図５】本発明の他実施例のノズル用給水装置の変位位置１の時の要部左側面図である。
【図６】本発明の他実施例のノズル用給水装置の定位置２の時の要部左側面図である。
【図７】本発明の他実施例のノズル用給水装置の変位位置２の時の要部左側面図である。
【図８】一例の既存のノズルユニットの縮小平面図である。
【図９】一例の既存のノズルユニットに本発明の他実施例のノズル用給水装置（定位置１の時）を嵌合した時の要部平面図である。
【図１０】一例の既存のノズルユニットに本発明の他実施例のノズル用給水装置（変位位置１の時）を嵌合した時の縮小平面図であり、肛門用洗浄水噴出装置から洗浄水が噴出している状態を示した図である。
【図１１】一例の既存のノズルユニットに本発明の他実施例のノズル用給水装置（定位置２の時）を嵌合した時の要部平面図である。
【図１２】一例の既存のノズルユニットに本発明の他実施例のノズル用給水装置（変位位置２の時）を嵌合した時の縮小平面図であり、局部用洗浄水噴出装置から洗浄水が噴出している状態を示した図である。
【符号の説明】
１０…一実施例のノズル用給水装置、１１…洗浄水の流れ（方向）、１２…電磁式給水弁装置、１３…給水弁流入口、１４…給水弁弁本体、１５…給水弁ソレノイド部、１６…給水弁流出口、１７…第三実施例のノズル用給水装置、１８…第四実施例のノズル用給水装置、２０…他実施例のノズル用給水装置、２１…洗浄水の流れ（方向）、２２…三方弁弁本体、２３…略洋杯状弁操作体、２４…弁操作体一端部（連結環嵌合口）、２５…肛門用洗浄水噴出装置吐水管路開口部、２６…管状弁切替体、２７…弁切替体一端部（連結環嵌合口）、２８…局部用洗浄水噴出装置吐水管路開口部、２９…弁切替体他端部（嵌合口）、３０…連結環、３１…スプール弁、３２…回動杆、３３…回動杆突起、３４…節付円筒杆、３５…螺旋形凹溝、３６…固定螺子、３７…節付円筒杆開口部（嵌合口）、３８…弁操作体弁他端部、３９…弁操作体弁他端部端面の凹部、４０…槓杆、４１…転換器押圧部、４２…螺子蓋、４３…板バネ、４４…皿バネ、４５…ローラ、４６…自動復帰槓杆型手動回動式三方弁装置、４７…磁石、４８…磁気検出装置、５０…既存のノズルユニット、５１…肛門用洗浄水噴出装置、５２…肛門用流入口、５３…肛門用ノズル、５４…肛門用ノズル孔、５５…局部用洗浄水噴出装置、５６…局部用流入口、５７…局部用ノズル、５８…局部用ノズル孔、５９…洗浄水噴出装置内の洗浄水の流れ（方向）、６０…手動回動式流量調整弁装置、６１…流量調整弁弁本体、６２…長方形溝、６３…流量調整軸、６４…楔状溝、６５…弁切替体他端部との嵌合口、６６…流量調整ダイヤル、６７…流量調整軸押さえ蓋、６８…流量調整弁流入口、６９…節付円筒杆開口部との嵌合口、７０…転換器、７１…転換器等搭載用印刷配線基板類、７２…一実施例のケーシング、７３…他実施例のケーシング、７５…槓杆の回動の規定角度範囲、７６…槓杆の押圧回動により増加する角度、８０…配管ホース類
【図１】
0003586726.tif 000002
【図２】
0003586726.tif 000003
【図３】
0003586726.tif 000004
【図４】
0003586726.tif 000005
【図５】
0003586726.tif 000006
【図６】
0003586726.tif 000007
【図７】
0003586726.tif 000008
【図８】
0003586726.tif 000009
【図９】
0003586726.tif 000010
【図１０】
0003586726.tif 000011
【図１１】
0003586726.tif 000012
【図１２】
0003586726.tif 000013